(57)【特許請求の範囲】
【請求項１】
多数のコイルスプリングを並列連結して構成され上下面の周縁部に枠線が設けられたスプリングユニットと、
弾性材料によって薄肉の隔壁が格子状に形成され上記スプリングユニットの上面に積層されるとともに外側面に側部弾性材が設けられ上下面の少なくとも上面の周縁部に枠線が設けられたクッション本体と、
上記スプリングユニット、上記側部弾性材及び上記クッション体を一体的に保持した保持手段と、
上記スプリングユニットとクッション本体との積層体を被覆した外装体を具備し、
上記保持手段は、一端が上記クッション本体の上面周縁に設けられた枠線に固定され、中途部が上記側部弾性材とスプリングユニットの外周面を覆うとともに上記スプリングユニットの上面の周縁に設けられた枠線に固定され、他端が上記スプリングユニットの下面周縁に導かれて上記外装体に連結固定されたフランジ布であることを特徴とするクッション装置。
【請求項２】
多数のコイルスプリングを並列連結して構成され上下面の周縁部に枠線が設けられたスプリングユニットと、
弾性材料によって薄肉の隔壁が格子状に形成され上記スプリングユニットの上面に積層されるとともに外側面に側部弾性材が設けられたクッション本体と、
上記スプリングユニット、上記側部弾性材及び上記クッション体を一体的に保持した保持手段と、
上記スプリングユニットとクッション本体との積層体を被覆した外装体を具備し、
上記保持手段は、一端が上記クッション本体の外側隔壁の上部に連結固定され、中途部が上記側部弾性材とスプリングユニットの外周面を覆うとともに上記スプリングユニットの上面の周縁に設けられた枠線に固定され、他端が上記スプリングユニットの下面周縁に導かれて上記外装体に連結固定されたフランジ布であることを特徴とするクッション装置。
【請求項３】
上記クッション本体は、矩形枠状の外側隔壁と、この外側隔壁内に格子状に設けられた内側隔壁とによって形成された複数のブロックに分割され、これらブロックは互いの外側隔壁を接合させていることを特徴とする請求項１又は請求項２記載のクッション装置。
【請求項４】
上記クッション本体の下面には、この下面の周縁部に沿う枠線が設けられているとともに、両側が上記ブロックの互いに接合した外側壁に対応し両端が上記枠線に連結された補助枠線が設けられていることを特徴とする請求項３記載のクッション装置。
【請求項５】
上記クッション本体は、隔壁がショアＡ２０乃至４０の硬度の弾性材料で形成されており、この隔壁は隔壁の高さ方向の荷重により押圧されることで屈曲可能であることを特徴とする請求項１又は請求項２記載のクッション装置。
【請求項６】
隔壁を形成する材料はスチレン系熱可塑性エラストマーであることを特徴とする請求項５記載のクッション装置。
【請求項７】
上記スプリングユニットの上面にはシート状の部材が設けられ、上記クッション本体の下端面は上記シート状の部材の上面に接着固定されることを特徴とする請求項１又は請求項２記載のクッション装置。
【請求項８】
上記クッション本体の外側面と上記側部弾性材とは接着固定されることを特徴とする請求項１又は請求項２記載のクッション装置。
【請求項９】
上記クッション本体は、複数のブロックが行列状に配置されていて、クッション本体の長手方向中途部に位置するブロックの隔壁は他のブロックの隔壁よりも硬く形成されていることを特徴とする請求項３記載のクッション装置。
【請求項１０】
上記クッション本体は、長手方向全長にわたる複数のブロックが幅方向に並設されていて、各ブロックの長手方向中途部が他の個所よりも硬く形成されていることを特徴とする請求項３記載のクッション装置。
【請求項１１】
上記クッション本体の外側面には側部弾性材が接着固定され、
上記スプリングユニットの上面には板状の底部弾性材が設けられ、この底部弾性材の上面に上記側部弾性材の下面が接着固定されていることを特徴とする請求項１又は請求項２記載のクッション装置。
【請求項１２】
上記クッション本体の隔壁は、高さ方向上端から下端にゆくにつれて肉厚が次第に厚く形成されていることを特徴とする請求項１又は請求項２記載のクッション装置。
【発明の詳細な説明】
【０００１】
【発明の属する技術分野】
この発明はベッド用のマットレス、ソファー、椅子、車両用シートなどに使用されるクッション装置に関する。
【０００２】
【従来の技術】
たとえばクッション装置である、ベッド用のマットレスにおいては、快適な寝心地を損なうことなく人体を弾性的に支持する機能、すなわち良好なクッション性能が要求される。
【０００３】
上記マットレスはクッション体を有し、このクッション体の上下面にシート状の弾性材を積層し、この積層体を外装地によって被覆して構成されている。上記クッション体としてはスプリングユニットが用いられることが多い。スプリングユニットは、多数のコイルスプリングをヘリカル線によって行列状に連結して形成されている。
【０００４】
クッション体をコイルスプリングによって形成したマットレスの場合、コイルスプリングは利用者の荷重を受けて圧縮変形すると、その変形量に応じて反発力を生じるから、その反発力によってマットレス上に仰臥した利用者は身体が圧迫され、快適な寝心地が損なわれるということがある。
【０００５】
上記クッション体をコイルスプリングに代わり、ゲル化材料によって形成することが提案されている。ゲル化材料によって形成されたクッション体は、高い熱容量と高効率の熱伝達を有するため、手触りが冷たいということがあったり、製造コストが高くなるということがあったり、さらに拘束された状態ではほとんど緩衝力がないなどのことがあり、クッション体を形成するには適していないということがあった。
【０００６】
そこで、米国特許第５，７４９，１１１号明細書に示されているように、ゲル化材料によって形成されたクッション体に、隔壁によって囲まれた複数の空洞の柱を形成することで、上述した問題を解消するということが行なわれている。
【０００７】
【発明が解決しようとする課題】
このような構造のクッション体によれば、隔壁が荷重によって屈曲するため、緩衝性に優れるという利点を有する。しかしながら、屈曲した隔壁は反発力が小さいため、クッション体上に仰臥した利用者は身体の重い部分が深く沈み、寝返りが打ち難くいということがあった。
【０００８】
この発明は、荷重に対して反発力がほとんど生じることがなく、しかも利用者が寝返りを打ち易くしたクッション装置を提供することにある。
【００１８】
【課題を解決するための手段】
請求項１の発明は、多数のコイルスプリングを並列連結して構成され上下面の周縁部に枠線が設けられたスプリングユニットと、
弾性材料によって薄肉の隔壁が格子状に形成され上記スプリングユニットの上面に積層されるとともに外側面に側部弾性材が設けられ上下面の少なくとも上面の周縁部に枠線が設けられたクッション本体と、
上記スプリングユニット、上記側部弾性材及び上記クッション体を一体的に保持した保持手段と、
上記スプリングユニットとクッション本体との積層体を被覆した外装体を具備し、
上記保持手段は、一端が上記クッション本体の上面周縁に設けられた枠線に固定され、中途部が上記側部弾性材とスプリングユニットの外周面を覆うとともに上記スプリングユニットの上面の周縁に設けられた枠線に固定され、他端が上記スプリングユニットの下面周縁に導かれて上記外装体に連結固定されたフランジ布であることを特徴とするクッション装置にある。
【００１９】
請求項２の発明は、多数のコイルスプリングを並列連結して構成され上下面の周縁部に枠線が設けられたスプリングユニットと、
弾性材料によって薄肉の隔壁が格子状に形成され上記スプリングユニットの上面に積層されるとともに外側面に側部弾性材が設けられたクッション本体と、
上記スプリングユニット、上記側部弾性材及び上記クッション体を一体的に保持した保持手段と、
上記スプリングユニットとクッション本体との積層体を被覆した外装体を具備し、
上記保持手段は、一端が上記クッション本体の外側隔壁の上部に連結固定され、中途部が上記側部弾性材とスプリングユニットの外周面を覆うとともに上記スプリングユニットの上面の周縁に設けられた枠線に固定され、他端が上記スプリングユニットの下面周縁に導かれて上記外装体に連結固定されたフランジ布であることを特徴とするクッション装置にある。
【００２４】
この発明によれば、クッション本体によって利用者を反発力のない弾力性で支えるから、利用者の身体が圧迫されるのが防止されるとともに、スプリングユニットのもつ反発力によって利用者の身体を弾性的に支え、身体の重い部分が大きく沈むのを抑制するから、利用者が寝返りを比較的容易に打つことが可能となる。
【００２５】
【発明の実施の形態】
以下、この発明の実施の形態を図面を参照しながら説明する。
【００２６】
図１乃至図５はこの発明の第１の実施の形態を示す。図１はクッション装置としてのベッド用のマットレス１を示し、このマットレス１はスプリングユニット１０１と、このスプリングユニット１０１の上面に不織布やサイザルなどのシート状の上部保護材１０２を介して積層されたクッション本体２を備えている。
【００２７】
上記スプリングユニット１０１は、図２に示すように多数のコイルスプリング１０３を行列状に配置し、隣り合うコイルスプリング１０３の上端面と下端面とはそれぞれヘリカル線１０４によって連結されている。
【００２８】
スプリングユニット１０１の上下面の周縁部には枠線１０５がクリップ１０６によって取付けられている。さらに、スプリングユニット１０１の下面には下部保護材１０７が接合されている。
【００２９】
なお、上部保護材１０２と下部保護材１０７とは、周辺部が上記クリップ１０６によって枠線１０５とともにスプリングユニット１０１に取付けられている。
【００３０】
上記クッション本体２は複数のブロック３に分割されている。この実施の形態では、図１乃至図３に示すようにクッション本体２は９つのブロック３に分割されている。
【００３１】
上記ブロック３はエラストマーなどの弾性材料によって矩形枠状に形成された外側隔壁４と、この外側隔壁４内に格子状に設けられた内側隔壁５とによって構成されている。このブロック３は、通常射出成形される。
【００３２】
格子の形状は、隔壁５の高さ５０〜３００ｍｍ、隔壁５の幅２０〜２００ｍｍである。隔壁４，５の厚さは０．５ｍｍ〜５ｍｍ、好ましくは１．５〜３ｍｍである。硬度の高いエラストマーを用いて隔壁を薄くしても、反対に硬度の低いエラストマーを用いて隔壁を厚くしても、寝たときに自然なクッション性が失われる。人体の体重に対して、底付きすることなく、柔らかな自然なクッション性を出すには、エラストマーの硬度と、隔壁の厚さが重要な要素となる。この観点からして、隔壁にショアーＡ２５〜３５の硬度のエラストマーを用い、隔壁の厚さを１．５〜３．０ｍｍにするのがよい。
【００３３】
この発明で用いるエラストマ−は、熱可塑性エラストマーやゴムである。熱可塑性エラストマーは、常温ではゴム状弾性体として挙動するが、温度上昇によって組成変形する物質である。熱可塑性エラストマーとしては、ポリスチレン系熱可塑性エラストマー、ポリオレフィン系熱可塑性エラストマー、ポリ塩化ビニル系熱可塑性エラストマー、ポリエステル系熱可塑性エラストマー、ポリウレタン系熱可塑性エラストマー、ポリアミド系熱可塑性エラストマー、１，２−ポリブタジエン系熱可塑性エラストマー、フッ素ゴム系熱可塑性エラストマー、塩素化ポリエチレン系熱可塑性エラストマー、動的架橋熱可塑性エラストマーなどが挙げられる。
【００３４】
また、ゴムとしては天然ゴム、合成ゴムが用いられる。合成ゴムとしてはポリブタジエンゴム、ポリイソプレンゴム、ブタジエンスチレンゴム、ブタジエンアクリルニトリルゴム、イソブチレンゴムなどが挙げられる。
【００３５】
上述したエラストマーのうち、とくにポリスチレン系熱可塑性エラストマーが柔軟性に富み、耐久性が良いので、クッション本体２を形成するのに好ましい。
【００３６】
上記複数のブロック３は、隣り合う外側隔壁４を接合させて配置され、外側隔壁４の互いに接合した面を部分的或いは全面にわたって接着剤によって接着固定されている。
【００３７】
上記接着剤としては硬化時に柔軟性を有する、たとえば合成ゴム系の接着剤が用いられる。それによって、９つのブロック３は一体的に結合され、しかも接着剤によって接着固定された外側隔壁４の柔軟性が損なわれることがない。
【００３８】
図２に示すように、上記クッション本体２の上面と下面との周縁には、それぞれ全長にわたって枠線７がＣ字状クリップ８によって取付けられている。
【００３９】
上記クッション本体２の外周面には枠状に成形された側部弾性材１１が全長にわたって設けられている。この側部弾性材１１は、ウレタンフォームなどの発泡合成樹脂によって断面形状は矩形状で、高さ寸法はクッション本体２とほぼ同じに形成されている。
【００４０】
図３と図４に示すように、上記側部弾性材１１の上面及び外側面は保持手段としてのフランジ布１３の一端部によって覆われている。このフランジ布１３の一端はクッション本体２の上面の周縁に枠線７とともにＣ字状クリップ８によって連結固定され、中途部は上記スプリングユニット１０１の上面周縁部に枠線１０５とともにクリップ１０６によって連結されている。そして、フランジ布１３の他端部はスプリングユニッ１０１の外周面を覆い、末端は後述する外装体１８に連結固定されている。
【００４１】
それによって、スプリングユニット１０１、クッション本体２、側部弾性材１１及び外装体１８が一体化されている。なお、上記フランジ布１３は、図３に示すようにクッション本体２の幅方向両側に設けられている。
【００４２】
上記クッション本体２と側部弾性材１１との上面には合成樹脂によって成形された、シート状部材としてのメッシュ１５が積層されている。このメッシュ１５はクッション本体２の上面に加わる荷重を分散させる機能を有する。
【００４３】
上記メッシュ１５の上面には、ウレタンフォームなどのシート状の上面弾性材１６がそれぞれ設けられている。上面弾性材１６の周辺部は上記メッシュ１５を介して側部弾性材１１の上面に接着固定されている。
【００４４】
また、クッション本体２の下端面、つまりブロック３の外側隔壁４と内側隔壁５との下端面は上記上部保護材１０２の上面に接着固定されている。それによって、クッション本体１は、この上面弾性材１６、上部保護材１０２及び側部弾性材１１と一体的に結合されている。
【００４５】
上記スプリングユニット１０１とクッション本体２とは上記外装地１８によって被覆される。この外装地１８は、上記上面弾性材１６を被覆する上鏡部１８ａと、スプリングユニット１０１の下面を被覆した下鏡部１８ｂと、上下端部を上記上鏡部１８ａと下鏡部１８ｂとの周縁部にテープ１９によって一体的に縫合したまち部１８ｃとからなる。そして、上記フランジ布１３の末端部は下鏡部１８ｂとまち部１８ｃとの縫合個所に一体に縫合されている。
【００４６】
したがって、上記フランジ布１３は、外装体１８をスプリングユニット１０１とクッション本体２とに連結している。それによって、外装体１８がスプリングユニット１０１とクッション本体２に対してずれ動くのを防止している。
【００４７】
さらに、フランジ布１３は、側部弾性材１１をクッション本体２に一体的に結合している。それによって、クッション本体２の周辺部は側部弾性材１１と一体的に弾性変形するようになっている。
【００４８】
このように構成されたマットレス１上に図５に示すように利用者Ｕが仰臥すると、利用者Ｕの荷重によってクッション本体２を構成する各ブロック３の外側隔壁４と内側隔壁５とが屈曲変形する。
【００４９】
クッション本体２の上面に加わる荷重はメッシュ１５によって分散されるとともに、クッション本体２が部分的に大きく落ち込むのを防止する。さらに、クッション本体２の上下面の周縁部にはそれぞれ枠線７が設けられている。そのため、クッション本体２の各ブロック３の外側隔壁４と内側隔壁５とは、メッシュ１５によって局部的に大きく屈曲するのが阻止されるとともに、上側の枠線７によってほぼ一体的に屈曲変形する。つまり、各ブロック３の外側隔壁４と内側隔壁５はほぼ均一に屈曲変形することになるから、利用者は快適な寝心地を得ることができる。
【００５０】
マットレス１に加わる荷重によってクッション本体２が圧縮変形すると、このクッション本体２の外周面にフランジ布１３によって一体的に保持された側部弾性材１１も一体的に圧縮変形する。つまり、クッション本体２は枠線７によって周辺部が他の部分よりも大きく屈曲変形するのが防止される。
【００５１】
上記クッション本体２はスプリングユニット１０１上に設けられている。そのため、マットレス１上に仰臥した利用者の荷重によって上記クッション本体２のブロック３の外側と内側の隔壁４，５が屈曲変形しても、利用者の身体はスプリングユニット１０１によって弾性的に支持される。
【００５２】
利用者の身体がスプリングユニット１０１によって弾性的に支持されることで、利用者の身体の臀部などの重たい部分が深く沈みすぎることが防止される。それによって、クッション本体２の反発力が小さくても、利用者は比較的楽に寝返りを打つことができる。
【００５３】
利用者の身体にはクッション本体２の低反発力が作用し、スプリングユニット１０１の高反発力が直接作用するということがない。そのため、利用者はスプリングユニット１０１の反発力によって身体が圧迫されるということがほとんどない。
【００５４】
また、クッション本体２をスプリングユニット１０１上に設けたことで、マットレス１としてのクッション性能を低下させることなく、クッション本体２の高さ寸法、つまりブロック３を形成する外側隔壁４や内側隔壁５の高さ寸法を小さくすることができる。それによって、スプリングユニット１０１とクッション本体２との二重構造であっても、マットレス１の厚さ寸法を比較的薄くすることが可能となる。
【００５５】
マットレス１から荷重が除去されると、圧縮変形した側部弾性材１１が復元し、その復元力がフランジ布１３を介してマットレス本体２の上側の枠線７に伝達されるから、この上側の枠線７によってクッション本体２が復元することになる。つまり、屈曲された各ブロック３の外側隔壁４と内側隔壁５とは、これらが備えた復元力だけでなく、側部弾性材１１の復元力によって復元する。
【００５６】
そのため、薄肉の外側隔壁４と内側隔壁５とによって形成された各ブロック３の復元力が弱くても、クッション本体２は上記側部弾性材１１の復元力によって各ブロック３の屈曲した外側隔壁４と内側隔壁５とを確実に復元させるため、マットレス１としての良好な性能を備えることができる。
【００５７】
側部弾性材１１の復元力が大きいと、その復元力がマットレス１上に仰臥した利用者の身体を圧迫することになる。そのため、側部弾性材１１の弾力性（硬さ）を発泡率などによって変えることで、屈曲変形したクッション本体２を確実に復元させることができるとともに、利用者の身体を強く圧迫することのない弾力性にすることができる。
【００５８】
上記クッション本体２を複数のブロック３に分割し、これらブロック３を第１の合成ゴム系の接着剤６によって一体的に連結するようにした。そのため、複数に分割されたブロック３は、クッション本体２を１つのブロックとして成形する場合に比べて小さな金型によって成形することができるから、その製造を容易に、しかも安価に行なうことができる。
【００５９】
図６乃至図８はこの発明の第２の実施の形態を示す。この第２の実施の形態は、クッション本体２の上面と下面との周縁に設けられた枠線７のうち、下面の枠線７の枠内には、この枠線７よりも小さな矩形状の複数の補助枠線６５、この場合には２つの補助枠線６５が設けられている。
【００６０】
上記クッション本体２は、平面形状がほぼ正方形の複数のブロック３を配置して構成されている。この実施の形態では、縦５個、横３個のブロック３が行列状に配置されている。上記補助枠線６５は幅寸法が１つのブロック３の幅寸法に対応し、長さ寸法が３つのブロック３の幅寸法に対応する大きさの矩形枠状に形成されている。
【００６１】
なお、各ブロック３の互いに接合する外側隔壁４は、上記第１の実施の形態と同様、合成ゴム系の接着剤或いは超音波溶着によって接合固定されている。
【００６２】
各補助枠線６５は、クッション本体２の縦方向の２番目と４番目のブロック３の下面に幅方向に沿って設置され、各補助枠線６５の幅方向両側は、それぞれ縦方向に接合する２列のブロック３の外側隔壁４の下端にＵ字状クリップ６６によって連結されている。なお、枠線７はＣ字状クリップ８によって外側隔壁４に取付けられる。
【００６３】
つまり、１つの補助枠線６５は、縦方向の３列のブロック３（合計で９つのブロック３）を一体的に結合している。さらに、補助枠線６５の長手方向両端は、枠線７の両側にそれぞれクリップ６７によって連結固定されている。
【００６４】
このように、クッション本体２を構成する複数のブロック３の外側隔壁４の下端部を、枠線７及び２つの補助枠線６５によって連結するようにしたことで、隣り合う複数のブロック３を強固に連結することができる。
【００６５】
そのため、クッション本体２を複数のブロック３によって形成した場合に、長期の使用によって各ブロック３の連結状態が損なわれるのを防止することができる。
【００６６】
しかも、クッション本体２の下面に設けられた補助枠線６５は、各ブロック３の形状を維持したり、重量を支持する機能を有するから、輸送或いは持ち運び時にクッション本体２の形状が損なわれるのを防止できる。
【００６７】
この第２の実施の形態において、クッション本体２の幅方向に隣り合うブロック３の外側隔壁４を接着剤或いは超音波溶着によって接合固定し、長手方向において隣り合う各ブロック３の外側隔壁４を補助枠線６５によって連結固定するようにしてもよい。
【００６８】
図９乃至図１１はこの発明の第３の実施の形態を示す。この実施の形態は、クッション本体２の外周面に、この外周に設けられる枠状の側部弾性材１１の内周面を接着固定した。
【００６９】
つまり、第１の実施の形態に示された保持手段としてのフランジ布１３に代わり、クッション本体２と側部弾性材１１とを接着固定することで、利用者の荷重によって屈曲変形したクッション本体２のブロック３の隔壁４，５に側部弾性材１１の復元力を作用させ、上記クッション本体２を確実に元の形状に復元させることができるようにしたものである。
【００７０】
この第３の実施の形態において、上記第１の実施の形態と同一部分には同一記号を付して説明を省略する。
【００７１】
図１２はこの発明の第４の実施の形態を示す。この実施の形態は、クッション本体２を構成するブロック３を９つとし、長手方向中央に位置する横一列の３つのブロック３Ａの外側隔壁４と内側隔壁５とを他のブロックの隔壁よりも硬くした。
上記ブロック３Ａの隔壁４，５を他のブロック３の隔壁４，５よりも硬くする手段としては、上記３つのブロック３Ａを形成する弾性材料を他のブロック３を形成する弾性材料よりも硬い材料を用いて形成したり、各ブロック３，３Ａを同じ材料で形成する場合には、上記ブロック３Ａの隔壁４，５を他のブロック３の隔壁４，５よりも厚くするなどのことによって実現することが可能である。
【００７２】
図１３はこの発明の第５の実施の形態で、この実施の形態はクッション本体２を長手方向全長にわたる長さの３つのブロック３Ｂを並設して形成したもので、各ブロック３Ｂの長手方向中途部に設けられる内側隔壁５を他の部分に比べて密に設けるようにした。それによって、クッション本体２の長手方向中途部を他の部分よりも硬くすることができるようにした。
上記第４、第５の実施の形態のように、クッション本体２の長手方向中央部分を他の部分よりも硬くすれば、クッション本体２の高さ寸法を大きくしなくとも、利用者の身体の最も重い臀部を比較的良好に支持することが可能となる。
【００７３】
図１４と図１５は、それぞれ第１の実施の形態の変形例を示す第６、第７の実施の形態である。図１４に示す第６の実施の形態は、クッション本体２の上面と下面との周縁部に枠線７を設けず、フランジ布１３の一端をクッション本体２の上面側の周縁部にクリップ８によって直接、連結固定するようにした。
【００７４】
図１５はクッション本体２の上面の周縁部にだけ枠線７を設け、フランジ布１３の一端部を上記枠線７とクッション本体２の外側隔壁４の上端部とにクリップ８によって一体的に結合した。
図１６（ａ）〜（ｃ）はこの発明の第８の実施の形態を示す、クッション本体２を形成するブロックの変形例である。この実施の形態のブロック３Ｂは、外側隔壁４ａと内側隔壁５ａとが上端から下端に行くにつれて肉厚が次第に厚くなるテーパ状に形成されているとともに、各隔壁４ａ、５ａの上部にはそれぞれ
通孔１１１を穿設した。
【００７５】
上記通孔１１１は、各隔壁４ａ，５ａによって区画された空間部が互いに連通し、しかも周囲に位置する空間部が外側隔壁４ａに形成された通孔１１１を通じて外部に連通している。
【００７６】
各隔壁４ａ，５ａの厚さが下端に行くにつれて厚くなるテーパ形状であると、荷重を受けた際に、図１６（ｃ）に示すように隔壁４ａ，５ａの上端部が屈曲し易いため、利用者Ｕにソフトな感触を与えることができ、下端部の肉厚が厚くなっていることで、下端部が屈曲しにくいため、クッション本体２によって利用者の身体を良好に支えることが可能となる。
【００７７】
さらに、各隔壁４ａ，５ａに通孔１１１が形成されていることで、クッション本体２が圧縮変形する際、通孔１１１から空気が図中矢印で示すように円滑に流動するため、空気の排出音が生じるのを防止でき、さらに隔壁４ａ，５ａに変形し易い柔軟性を持たせることができるから、利用者に与える感触を柔らかくすることができる。
【００７８】
図１７と図１８はこの発明の第９の実施の形態を示すマットレス１の変形例である。この実施の形態のマットレス１は、クッション本体２の外周面に設けられる側部弾性材１１を、上記クッション本体２の外周面の全長にわたって接着固定する。
【００７９】
スプリングユニット１０１の上面にはウレタンフォームなどによって板状に形成された底部弾性材１１５が載置されている。この底部弾性材１１５の下面はスプリングユニット１０１の上面に設けられた上部保護材１０２に接着固定されている。
【００８０】
上記クッション本体２の下端面及びクッション本体２の外周面に接着固定された側部弾性材１１の下面は、上記底部弾性材１１５の上面に接着固定されている。つまり、スプリングユニット１０１に対してクッション本体２が一体化され、さらにこのクッション本体２に対して側部弾性材１１が一体化されている。上記クッション本体２を形成する複数のブロック３は、互いに隣り合う外側壁４を接着固定して一体化されている。
【００８１】
このように、クッション本体２及び側部弾性材１１を底部弾性材１１５を介してスプリングユニット１０１と一体化したことで、使用中にスプリングユニット１０１に対してクッション本体２や側部弾性材１１がずれ動くのが防止されるから、使用時の安定性を高めることができる。
【００８２】
側部弾性材１１がクッション本体２と一体的に設けられていることで、側部弾性材１１が荷重によって屈曲変形したクッション本体２に復元力を付与することになるから、クッション本体２は反発力が低くても、確実に、しかも比較的迅速に元の形状に復元する。
【００８３】
なお、第９の実施の形態においては、スプリングユニット１０２とクッション本体２の上下面周縁に枠線が設けられていないが、これら両者或いは一方の上下面の周縁に枠線を設けるようにしても差し支えない。また、クッション本体２の下端面は底部弾性材１１５の上面に接着固定しなくともよい。
【００８４】
【発明の効果】
以上のようにこの発明によれば、弾性材料によって薄肉の隔壁が格子状に形成されたクッション本体を、多数のコイルスプリングを行列状に並列配置したスプリングユニット上に積層し、この積層体を外装体で被覆した。
【００８５】
そのため、利用者が受ける感触はクッション本体の低反発力の弾力性であるから、利用者は身体に圧迫感を感じることがなく、しかもクッション本体はこのクッション本体に比べて反発力の強いスプリングユニット上に設けられているから、利用者の身体が深く沈み過ぎて寝返りが打ち難くなるのを防止できる。
【図面の簡単な説明】
【図１】この発明の第１の実施の形態を示すマットレスの一部断面した斜視図。
【図２】マットレスの縦断面図。
【図３】外装体を除去した平面図。
【図４】マットレスの組立状態を示す一部分の斜視図。
【図５】利用者がマットレス上に仰臥した状態を説明するための概略的構成を示す側面図。
【図６】この発明の第２の実施の形態を示すクッション本体と枠線との分解斜視図。
【図７】クッション本体の下面に補助枠線を取付けた状態を示す下面図。
【図８】クッション本体の下面に補助枠線を取付けた状態を示す側断面図。
【図９】この発明の第３の実施の形態を示す外装体の一部を除去したマットレスの斜視図。
【図１０】マットレスの縦断面図。
【図１１】マットレス装置の一部分の拡大断面図。
【図１２】この発明の第４の実施の形態を示すクッション本体の平面図。
【図１３】この発明の第５の実施の形態を示すクッション本体の平面図。
【図１４】この発明の第６の実施の形態を示すクッション本体の一部分の拡大断面図。
【図１５】この発明の第５の実施の形態を示すクッション本体の一部分の拡大断面図。
【図１６】（ａ）〜（ｃ）はこの発明の第８の実施の形態を示し、（ａ）はブロックの斜視図、（ｂ）はブロックの一部分の断面図、（ｃ）はブロックの隔壁が荷重によって変形した状体の断面図。
【図１７】この発明の第９の実施の形態を示すクッション体の断面図。
【図１８】クッション体の一部を破断した斜視図。
【符号の説明】
２…クッション本体
３…ブロック
４…外側隔壁
５…内側隔壁
７…枠線
１１…側部弾性材
１３…フランジ布
１８…外装体
１０１…スプリングユニット
１０２…上部保護材
１０３…コイルスプリング
１０５…枠線
１１５…底部弾性材
【図１】
0004815079.tif 000002
【図２】
0004815079.tif 000003
【図３】
0004815079.tif 000004
【図４】
0004815079.tif 000005
【図５】
0004815079.tif 000006
【図６】
0004815079.tif 000007
【図７】
0004815079.tif 000008
【図８】
0004815079.tif 000009
【図９】
0004815079.tif 000010
【図１０】
0004815079.tif 000011
【図１１】
0004815079.tif 000012
【図１２】
0004815079.tif 000013
【図１３】
0004815079.tif 000014
【図１４】
0004815079.tif 000015
【図１５】
0004815079.tif 000016
【図１６】
0004815079.tif 000017
【図１７】
0004815079.tif 000018
【図１８】
0004815079.tif 000019